(57)【要約】【課題】消費者の調理する手間を軽減するとともに、流通に適した包装態様とすることを課題とする。【解決手段】食材包装袋１０は、一端に設けられた開口部１１と、内部を複数の室に仕切る複数のジッパー１２ａ、１２ｂ、１２ｃと、を有する。そして、食材包装袋１０は、ジッパー１２ａ、１２ｂ、１２ｃによって仕切られた各室に包装される食材について、調理過程において使用される順番が早い食材ほど、開口部１１に近い室に包装する。このため、食材包装袋１０では、調理過程において使用される順番が早い食材ほど、開口部１１に近い空間に包装することで、消費者が調理に使用する食材の順番を間違えることなく、適切な順番で食材の調理を行うことができるようにする。【選択図】図１
2013227028.tif 000002
【特許請求の範囲】
【請求項１】
複数種類の食材を包装する食材包装袋であって、
食材包装袋本体の一端に設けられた開口部と、
食材包装袋の内部を複数の空間に仕切る複数の仕切り部と、を有し、
前記仕切り部によって仕切られた各空間に包装される食材について、調理過程において使用される順番が早い食材ほど、前記開口部に近い空間に包装することを特徴とする食材包装袋。
【請求項２】
隣接する空間同士において包装される各食材として、調理過程において互いに混ぜ合わせる食材をそれぞれ配置することを特徴とする請求項１に記載の食材包装袋。
【発明の詳細な説明】
【技術分野】
【０００１】
本発明は、複数種類の食材を包装する食材包装袋に関する。
【背景技術】
【０００２】
従来、食材を包装する方法として、食材の種別ごとに個別に包装するやり方が一般的であった。また、食品加工メーカーで製造した複数種類のカット野菜等を一つにまとめて包装し、材料セットとして販売するやり方や、食材と調味料を調理手順通りに容器内にセットして販売するやり方なども知られている。
【０００３】
また、複数種類の食材を包装する方法として、おかずの下ごしらえ済み野菜などの食材と調味料を調理手順通りに容器にセットする方法が知られている（例えば、特許文献１参照）。このような容器では、仕切り板で容器内が仕切られ、仕切られた空間に食材や調味料が調理手順通りにセットされている。
【先行技術文献】
【特許文献】
【０００４】
【特許文献１】特開２００７−２４４３６３号公報
【発明の概要】
【発明が解決しようとする課題】
【０００５】
しかしながら、上記した食材や調味料が調理手順通りにセットされた容器は、料理の苦手な人向け又は初めて料理する子供向けの教材として利用されることを想定しており、流通に適した包装態様ではないという課題があった。
【０００６】
具体的には、上記した食材や調味料が調理手順通りにセットされた容器は、食材や調味料を入れるための容器とともに、容器内を仕切るための仕切り板が必要となるため、軽量な包装態様にすることができず、流通に適した包装態様ではない。さらに、仕切り板で容器内を仕切るので、仕切られた容器内の各室を密封したり水で満たしたりすることが難しく、食材の鮮度を保つことが困難であり、流通に適した包装態様ではない。
【０００７】
そこで、この発明は、上述した従来技術の課題を解決するためになされたものであり、消費者の調理する手間を軽減するとともに、流通に適した包装態様とすることを目的とする。
【課題を解決するための手段】
【０００８】
上述した課題を解決し、目的を達成するため、本発明は、複数種類の食材を包装する食材包装袋であって、食材包装袋本体の一端に設けられた開口部と、食材包装袋の内部を複数の空間に仕切る複数の仕切り部と、を有し、前記仕切り部によって仕切られた各空間に包装される食材について、調理過程において使用される順番が早い食材ほど、前記開口部に近い空間に包装することを特徴とする。
【発明の効果】
【０００９】
本発明は、消費者の調理する手間を軽減するとともに、流通に適した包装態様とすることができるという効果を奏する。
【図面の簡単な説明】
【００１０】
【図１】図１は、調理過程を考慮した食材包装袋を示す図である。
【図２】図２は、内部で食材を調理することが可能な食材包装袋を示す図である。
【発明を実施するための形態】
【００１１】
以下に、本願に係る食材包装袋の実施の形態を図面に基づいて詳細に説明する。なお、この実施の形態により本願に係る食材包装袋が限定されるものではない。
【００１２】
［第一の実施の形態に係る食材包装袋の構成］
まず、図１を用いて、調理過程を考慮した食材包装袋１０について説明する。図１は、調理過程を考慮した食材包装袋１０を示す図である。図１に示すように、食材包装袋１０は、ビニール素材の袋であり、消費者によって調理される食材を袋の内部に包装している。
【００１３】
また、食材包装袋１０は、四角形状であって四辺のうちの一辺に開口部１１が設けられており、開口部１１から内部の食材が取り出し可能となっている。なお、以下では、食材包装袋１０の説明において、開口部１１が設けられている側を上側とし、開口部１１と反対にある袋の底側を下側として説明する。
【００１４】
図１に示すように、食材包装袋１０には、３つのジッパー１２ａ、１２ｂ、１２ｃが設けられている。このうち、ジッパー１２ａは、食材包装袋１０における開口部１１近傍の内周面に設けられたジッパーであり、凹部と凸部との組で構成される。ジッパー１２ａは、食材包装袋１０の内周面のうち、一の面に凹部が設けられ、他方の面に凸部が設けられ、凹部と凸部とが圧着されることで、開口部１１を密閉する。
【００１５】
また、ジッパー１２ｂは、食材包装袋１０における長手方向の略中央の内周面に設けられており、ジッパー１２ｃは、ジッパー１２ｂよりも開口部１１から遠い位置の内周面に設けられている。ジッパー１２ｂおよびジッパー１２ｃは、ジッパー１２ａと同じく凹部と凸部とで構成され、凹部と凸部とが圧着されることで、食材包装袋１０の内部が複数の空間（以下、「室」という）に区切られる。
【００１６】
ここで、第一の実施の形態に係る食材包装袋１０では、ジッパー１２ａ、１２ｂ、１２ｃが設けられる位置を適宜変更するようにしてもよい。そして、ジッパー１２ａ、１２ｂ、１２ｃが設けられる位置を変更することで、各室１３ａ、１３ｂ、１３ｃの大きさを変更することができる。
【００１７】
例えば、ジッパー１２ｂの位置を上側に変更し、ジッパー１２ｃの位置を下側に変更することで、中央の室１３ｂの大きさを広げ、上部の室１３ａ、下部の室１３ｃの大きさを狭くすることができる。このように、食材包装袋１０に設けるジッパーの位置を変更するだけで、容易に各室の大きさを変更することができるので、調理に使用される各食材の体積を考慮して、各食材に対して最適な包装を行うことが可能である。
【００１８】
このように、第一の実施の形態に係る食材包装袋１０は、一つの袋が３つの室１３ａ、１３ｂ、１３ｃに区切られておいる。そして、各室１３ａ、１３ｂ、１３ｃに包装される食材は、調理過程において使用される順番が早い食材ほど、開口部１１に近い室に包装される。
【００１９】
例えば、図１の例では、食材包装袋１０は、調理過程で一番最初に使用される食材が上部の室１３ａに配置され、二番目に使用される食材が中央の室１３ｂに配置され、三番目に使用される食材が下部の室１３ｃに配置されており、開口部１１に近い室から順番に調理過程で使用される食材がそれぞれ包装されている。
【００２０】
つまり、消費者は、通常、食材包装袋１０から食材を取り出す際には、まず、開口部１１に最も近い上側のジッパー１２ａを開けて、上部の室１３ａにある食材を取り出して調理を行う。続いて、中央のジッパー１２ｂ（中央の室１３ｂの上部にあるジッパー）を開けて中央の室１３ｂにある食材を取り出して調理を行い、最後に、下側のジッパー１２ｃ（下部の室１３ｃの上部にあるジッパー）を開けて下部の室１３ｃにある食材を取り出す。
【００２１】
このように、食材包装袋１０は、調理過程において使用される順番が早い食材ほど、開口部１１に近い空間に配置することで、消費者が調理に使用する食材の順番を間違えることなく、適切な順番で食材の調理を行うことができる。
【００２２】
すなわち、上部の室１３ａの食材よりも先に中央の室１３ｂに包装されている食材を取り出す場合には、食材包装袋１０の中央部分を強引に破かなければならず、また、上部の室１３ａの食材よりも先に下部の室１３ｃに配置されている食材を取り出す場合には、食材包装袋１０の底を強引に破かなければならない。このため、消費者が誤って強引に袋を破いた場合を除き、中央の室１３ｂや下部の室１３ｃの食材を、上部の室１３ａの食材よりも先に取り出すことを防止することが出来る。また、図１に示すように、各ジッパー１２ａ〜１２ｃの開封する順番「１」〜「３」が食材包装袋１０の表面にマーキングされており、食材の取り出す順番を消費者により分かり易く伝えるようにしている。
【００２３】
また、各室１３ａ〜１３ｃにある食材が効率的に鮮度保持できるように、各室１３ａ〜１３ｃの状態を食材に応じて変更することが可能である。例えば、空気に触れることで湿気ってしまう食材が配置される室を真空状態にすることや、水分が必要な食材が配置される室を水で満たした状態にすることも可能である。このように、食材包装袋１０内にジッパーを設けることで、食材包装袋１０内の室の状態を真空状態にすること等は容易に行うことができるため、様々な食材に適した保存状態を容易に作り出すことができる。
【００２４】
さらに、各室１３ａ〜１３ｃに入れる食材の種類に応じて、食材包装袋１０の面に通気穴１４ａ、１４ｂを空けるようにしてもよい。ここで、食材包装袋１０の面側に通気穴１４ａ、１４ｂを開ける場合には、食材の種別に応じて、通気穴１４ａ、１４ｂの数を多くしたり少なくしたりすることも可能であるし、通気穴１４ａ、１４ｂの大きさを大きくしたり、小さくしたりすることが可能である。例えば、図１に例示するように、食材包装袋１０では、上部の室１３ａに大き目の通気穴１４ａが空けられており、中央の室１３ｂに小さ目の通気穴１４ｂが開けられており、下部の室１３ｃには通気穴を開けずに密封状態になっている。
【００２５】
このように、ビニール素材の食材包装袋１０であれば、袋自体に簡単に通気穴を空けることができ、さらに通気穴の数や大きさも容易に変更することができるため、ビニール素材の食材包装袋１０に対する加工の仕方を変えるだけで、様々な食材に適した保存状態を容易に作り出すことができる。
【００２６】
ここで、各室１３ａ、１３ｂ、１３ｃに配置されている食材の例について説明するとともに、食材包装袋１０から食材を取り出す一連の流れについて説明する。なお、以下では、食材包装袋１０が「けんちん汁」の食材セットを包装する場合の例を説明する。食材包装袋１０は、「けんちん汁」の食材セットとして、「サトイモ」、「ダイコン」、「ゴボウ」、「ニンジン」、「白菜」、「ネギ」および「油揚げ」を包装する。
【００２７】
図１の例に示すように、上部の室１３ａには、「サトイモ」、「ダイコン」、「ゴボウ」、「ニンジン」が配置され、中央の室１３ｂには、「白菜」が配置され、下部の室１３ｃには、「ネギ」と「油揚げ」が配置されている。
【００２８】
まず、消費者は、開口部１１の近傍に設けられた上側のジッパー１２ａを開けて「サトイモ」、「ダイコン」、「ゴボウ」、「ニンジン」を取り出し、少量の油で炒める。次に、「サトイモ」、「ダイコン」、「ゴボウ」、「ニンジン」が柔らかくなったら、内側のジッパー１２ｂを開けて中央の室１３ｂにある「白菜」を取り出して、「サトイモ」、「ダイコン」、「ゴボウ」、「ニンジン」に加える。
【００２９】
その後、「白菜」が柔らかくなったら、内側のジッパー１２ｃ（下部の室１３ｃの上部にあるジッパー）を開けて下部の室１３ｃ「ネギ」と「油揚げ」を取りだし、「ネギ」と「油揚げ」を加えて煮込めば、「けんちん汁」が出来上がりとなる。
【００３０】
第一の実施の形態に係る食材包装袋１０は、ビニール素材であるため、軽量なビニール袋から食材を手軽に取り出して料理を行うことができ、また、袋の端を持ったまま傾けて、食材を調理鍋に直接入れることが出来るので、手を汚すことなく調理することが可能であり、さらに、皿を用意する必要がないため、皿を用意したり洗ったりする手間を省くことも可能である。
【００３１】
また、例えば一人暮らしの男性が、食材を自分で一から選んで購入して調理を行う煩雑さを解消することができる。そして、このような一人暮らしの男性が、外食して食事をする場合と比較すると、コスト面、栄養面に優れ、自分で調理することにより個々の家庭の味付けにできることから、食文化の維持・伝承に繋がる。また、ビニール製の軽量で安価な袋で包装するため、消費者にとっても扱いやすい食材セットを提供することができる。
【００３２】
[第一の実施の形態の効果]
上述してきたように、第一の実施の形態に係る食材包装袋１０は、一端に設けられた開口部１１と、内部を複数の室に仕切る複数のジッパー１２ａ、１２ｂ、１２ｃと、を有する。そして、食材包装袋１０は、ジッパー１２ａ、１２ｂ、１２ｃによって仕切られた各室に包装される食材について、調理過程において使用される順番が早い食材ほど、開口部１１に近い室に包装する。
【００３３】
このため、食材包装袋１０では、調理過程において使用される順番が早い食材ほど、開口部１１に近い空間に包装することで、消費者が調理に使用する食材の順番を間違えることなく、適切な順番で食材の調理を行うことができる。これにより、個別に包装された食材を包装袋から取り出して調理する順番を考えながら調理を行う手間を軽減する結果、消費者の調理する手間を軽減することが可能である。さらに、食材包装袋１０は、軽量で安価な袋で食材セットを包装するため、流通に適した食材の包装袋を提供することが可能である。
【００３４】
また、食材包装袋１０そのものに対する加工を容易に行うことができるため、食材包装袋１０の内部を真空状態にしたり、食材包装袋１０の表面に通気穴１４ａ、１４ｂを開けて通気性を良くしたりするなど、食材包装袋１０に対する加工の仕方を変えるだけで、様々な食材に適した保存状態を容易に作り出すことができ、食材の鮮度を適切に保つことが可能である。
【００３５】
［第二の実施の形態に係る食材包装袋］
ところで、上記の第一の実施の形態では、食材包装袋から食材を取り出して調理を行うことを想定し、調理で使用する食材の順に応じて食材を分けて包装する場合を説明したが、本発明はこれに限定されるものではなく、食材包装袋内で調理を行えるように、調理過程において混ぜ合わせる食材同士を隣接する室に配置するようにしてもよい。
【００３６】
まず、図２を用いて、内部で食材を調理することが可能な食材包装袋１０ａについて説明する。図２は、内部で食材を調理することが可能な食材包装袋１０ａを示す図である。なお、以下では、食材包装袋１０ａが、「から揚げ」の食材セットを包装している場合の例について説明する。なお、図２に示す食材包装袋１０ａは、図１の例と同様に、各ジッパー１２ａ〜１２ｃの開封する順番「１」〜「３」が表面にマーキングされている。
【００３７】
図２の（１）に示すように、食材包装袋１０ａの各室１３ａ〜１３ｃには、「から揚げ」の食材セットとして、調味料、鶏肉、小麦粉がそれぞれ包装されている。具体的には、食材包装袋１０ａには、上部の室１３ａに液体の調味料が包装され、中央の室１３ｂに鶏肉が包装され、下部の室１３ｃに小麦粉が包装されている。
【００３８】
ここで、食材包装袋１０ａのジッパー１２ａを開けることなく、食材包装袋１０ａ内部で料理の下ごしらえをする一連の流れについて説明する。図２の（２）に示すように、消費者は、上部の室１３ａの調味料と中央の室１３ｂの鶏肉とを混ぜ合わせるために、中央のジッパー１２ｂを開けて、上部の室１３ａの調味料を中央の室１３ｂへ降下させる。さらに、消費者は、食材包装袋１０ａの中央の室１３ｂの表面を揉むことで、鶏肉と調味料とを混ぜ合わさるようにする。
【００３９】
続いて、図２の（３）に示すように、消費者は、中央の室１３ｂの鶏肉と下部の室１３ｃの小麦粉とを混ぜ合わせるために、下側のジッパー１２ｃを開けて、中央の室１３ｂの鶏肉を下部の室１３ｃへ落下させる。さらに、消費者は、食材包装袋１０ａの下部の室１３ｃの表面を揉むことで、鶏肉と小麦粉とを混ぜ合わさるようにする。このように、食材包装袋１０ａがビニール素材であるため、食材包装袋１０ａの表面を揉むことで、内部の材料同士を容易に混ぜ合わせることができる。
【００４０】
このように、食材包装袋１０ａでは、隣接する室同士において包装される各食材として、調理過程において互いに混ぜ合わせる食材をそれぞれ配置するので、隣接する室を仕切るジッパーを開けて、食材を１つの室に移動させ、食材同士を混ぜ合わせて調理を行うことができる結果、食材包装袋１０ａから食材を取り出すことなく、消費者の調理の手間を軽減することができる。
【００４１】
つまり、食材同士を袋から取り出して混ぜ合わせる場合には、食材同士を混ぜ合わせるための皿や箸を用意する必要があるが、食材包装袋１０ａでは、食材同士を袋から取り出さないので、皿や箸を用意する必要がないため、皿や箸を用意したり洗ったりする手間を省くことができる。また、食材包装袋１０ａの表面を揉んで食材同士を混ぜ合わせることができるため、手を汚さずに、簡単に食材同士を混ぜ合わせて調理を行うことができる。
【００４２】
［他の実施の形態］
さて、これまで本発明の実施の形態について説明したが、本発明は上述した実施の形態以外にも、種々の異なる形態にて実施されてよいものである。そこで、以下に示すように、（１）素材、（２）室の数、（３）形状、（４）仕切り、（５）利用対象にそれぞれ区分けして異なる実施の形態を説明する。
【００４３】
（１）素材
なお、上記の実施の形態では、食材包装袋の素材がビニールである場合を説明したが、本発明はこれに限定されるものではない。食材包装袋の素材は、軽量な素材であればよく、例えば、ポニエチレンを素材としてもよい。
【００４４】
（２）室の数
また、上記の実施の形態では、室の数および室を仕切るジッパーの数が３つである場合を説明したが、本発明はこれに限定されるものではなく、室の数およびジッパーの数は、２つであってもよいし、４つ以上であってもよい。
【００４５】
（３）形状
また、上記の実施の形態では、食材包装袋の形状が四角形状である場合を説明したが、本発明はこれに限定されるものではなく、三角形や五角形等の多角形状でもよいし、円形状でもよい。また、食材包装袋の形状は、四角形状のうちの長方形に限られず、台形や正方形であってもよい。
【００４６】
（４）仕切り
また、上記の実施の形態では、食材包装袋にジッパーを設けて食材包装袋内の各室を仕切る場合を説明したが、本発明はこれに限定されるものではなく、ジッパーに代えて開封可能なシール加工を食材包装袋に施して、各室を仕切るようにしてもよい。
【００４７】
ここで、シール加工を食材包装袋に施す場合に、シール加工の強度を変化させることで、各室の通気性を変化させることや密閉状態にすることが容易に行える。例えば、二つの隣接する室同士において、一方の室に鶏肉を配置し、他方の室に香り付けするためのハーブを配置し、二つの隣接する室同士を区切るシーラの強度を弱くすることで、鶏肉にハーブの香りを付着させることができる。
【００４８】
（５）利用対象
また、上記の実施の形態では、一人暮らしの独身者や一般家庭で料理をする主婦等の消費者が本発明に係る食材包装袋を利用する場合を想定して説明したが、本発明はこれに限定されるものではなく、例えば、外食産業などの業者が本発明に係る食材包装袋を利用するようにしてもよい。具体的な例を挙げて説明すると、例えば、ファミレスなどの外食産業においては、調理師免許を持っていないアルバイトなどが調理を行う場合があり、このような場合には、調理手順をある程度マニュアル化して、誰でも簡単に調理を行えるようにすることが重要である。
【００４９】
この点、本発明に係る食材包装袋を利用することで、調理を行う者が料理の手順を熟知していなかったとしても、調理に使用する食材の順番を間違えることなく、適切な順番で食材の調理を行うことができる。この結果、誰でも簡単に調理を行えるようにすることができる。さらに、本発明に係る食材包装袋を利用することで、すでに出来上がったものを温めただけの料理とは異なり、食材から調理を行うことができるので、新鮮な料理を客に提供することが可能となる。このように、本願発明に係る食材包装袋は、ファミレスなどの外食産業においても有効に利用することができる。
【産業上の利用可能性】
【００５０】
以上のように、本発明に係る食材包装袋は、複数種類の食材を包装する場合に有用であり、特に、消費者の調理する手間を軽減するとともに、流通に適した包装態様とすることに適する。
【符号の説明】
【００５１】
１０  食材包装袋
１１  開口部
１２ａ〜１２ｃ  ジッパー
１３ａ  上部の室
１３ｂ  中央の室
１３ｃ  下部の室
１４ａ、１４ｂ  通気穴
【図１】
2013227028.tif 000003
【図２】
2013227028.tif 000004